(57)【要約】【課題】  食品など身近なものの対象物に対して、簡易な除染に適し、しかも、単なる水洗よりも除染効率の良い除染剤及び除染方法を提供する。【解決手段】  放射性物質に汚染された対象物の除染を行うためのもので、酸化カルシウム及び／または水酸化カルシウムの粉末で構成される除染剤を、貝殻を８００℃以上で焼成して生成し、この除染剤を水に溶解して除染液を得、除染液に対象物を所要時間浸漬し、その後、対象物を水で洗浄する。【選択図】  図２
2013088376.tif 000002
【特許請求の範囲】
【請求項１】
放射性物質に汚染された対象物の除染を行うための除染剤において、
水に溶解して用いられ酸化カルシウム及び／または水酸化カルシウムの粉末で構成されることを特徴とする除染剤。
【請求項２】
上記酸化カルシウム及び／または水酸化カルシウムは、貝殻を焼成して生成されたことを特徴とする請求項１記載の除染剤。
【請求項３】
上記貝殻の焼成温度が、８００℃以上であることを特徴とする請求項２記載の除染剤。
【請求項４】
放射性物質に汚染された対象物の除染を行う除染方法において、
上記請求項１乃至３何れかに記載の除染剤を用い、該除染剤を水に溶解して除染液を得、該除染液を対象物の表面に作用させることを特徴とする除染方法。
【請求項５】
上記除染液に対象物を所要時間浸漬し、その後、該対象物を水で洗浄することを特徴とする請求項４記載の除染方法。
【請求項６】
上記除染液は、上記除染剤を０．０００１〜０．３重量％含有することを特徴とする請求項４または５記載の除染方法。
【発明の詳細な説明】
【技術分野】
【０００１】
本発明は、放射性セシウムなどの放射性物質に汚染された対象物の除染を行うための除染剤及び除染方法に係り、特に、食品など身近なもので放射能汚染が比較的低レベルのものを対象物とする除染剤及び除染方法に関する。
【背景技術】
【０００２】
従来から、放射性物質に汚染された例えば食品など身近なものでは、表面についた放射性ヨウ素、放射性セシウム等の放射性物質は、水洗いをすると１０〜３０％程度は落ちることが知られている。
また、従来から、原子力施設から発生する、放射性物質が付着した除染対象物においては、種々の除染方法が実施あるいは提案されている。例えば、この従来の除染方法としては、アルカリ除染剤を用いるアルカリ除染工程と、有機酸および無機酸を組み合わせた酸除染剤を用いる酸除染工程とを組み合わせ、各工程において除染槽中に放射性物質をいれ、振動撹拌機と超音波振動子を作動させ除染する技術がある（例えば、特開２００６−７８３３６号公報参照）。アルカリ除染剤しては、オルソケイ酸ナトリウム、メタケイ酸ナトリウム、セスキケイ酸ナトリウム、ケイ酸ナトリウム液（珪酸ナトリウム１号から４号）等のケイ酸塩、リン酸三ナトリウム等のリン酸塩、過炭酸ナトリウム等の過炭酸塩、セスキ炭酸ナトリウム等の炭酸塩が利用される。また、酸除染剤としては、有機酸と無機酸との混合体であり、有機酸としては、例えば、クエン酸、グリコール酸、マロン酸、シュウ酸等が利用され、また無機酸としては、例えば、硝酸、フッ酸、硫酸等が利用される。
【先行技術文献】
【特許文献】
【０００３】
【特許文献１】特開２００６−７８３３６号公報
【発明の概要】
【発明が解決しようとする課題】
【０００４】
ところで、比較的身近にあるものの除染において、上記従来の水洗により対象物の除染を行う方法は、簡易な方法で利用しやすくある程度有効であるが必ずしも十分とはいえない。一方、これら身近なものに対して、上記従来の原子力施設から発生する放射性物質に対応する方法の採用も考えられるが、アルカリ除染剤は特殊なものが多く、また、装置が複雑で、工数も多く、汎用性に劣るという問題がある。
本発明は上記の問題点に鑑みて為されたもので、食品など身近なものの対象物に対して、簡易な除染に適し、しかも、水洗よりも除染効率の良い除染剤及び除染方法を提供することを目的とする。
【課題を解決するための手段】
【０００５】
このような目的を達成するための本発明の除染剤は、放射性物質に汚染された対象物の除染を行うための除染剤において、水に溶解して用いられ酸化カルシウム及び／または水酸化カルシウムの粉末で構成される。
これを用いて、対象物の除染を行うときは、酸化カルシウム及び／または水酸化カルシウムの粉末を水に溶かして除染液を作成し、この除染液を対象物の表面に作用させる。対象物としては、例えば、食品など持ち運び可能なもの、あるいは、建物のように固定のもの等どのようなものであっても良い。表面に作用させる方法としては、例えば、除染液に対象物を浸漬し、その後水洗する。あるいはまた、除染液を対象物に浴びせかけて洗浄する等がある。この場合、単に水洗する場合に比較して、除染効率が向上させられる。特に、放射性セシウムの除染にはその能力が高く、極めて有用になる。また、除染剤は水に溶かして用いるので、作業が簡易であり、汎用性が向上させられる。更にまた、酸化カルシウム及び／または水酸化カルシウムは、比較的安価で入手もし易く、この点でも汎用性が向上させられる。その結果、特に、食品など身近なもので放射能汚染が比較的低レベルのものを対象物とする場合、極めて有用になる。
【０００６】
そして、必要に応じ、上記酸化カルシウム及び／または水酸化カルシウムは、貝殻を焼成して生成された構成としている。ホタテガイなどの貝殻を用いることができるので、廃棄物の有効利用を行なうことができ、比較的安価になる。
この場合、上記貝殻の焼成温度が、８００℃以上であることが有効である。望ましくは、１０００℃以上である。８００℃に満たないと活性に劣る。８００℃以上で満足できる活性を保持できる。
【０００７】
また、上記目的を達成するための本発明の除染方法は、放射性物質に汚染された対象物の除染を行う除染方法において、上記の除染剤を用い、該除染剤を水に溶解して除染液を得、該除染液を対象物の表面に作用させる構成としている。対象物としては、例えば、食品など持ち運び可能なもの、あるいは、建物のように固定のもの等どのようなものであっても良い。これにより、除染液は酸化カルシウム及び／または水酸化カルシウムの粉末が溶解しているので、単に水洗する場合に比較して、除染効率が向上させられる。特に、放射性セシウムの除染にはその能力が高く、極めて有用になる。その結果、食品など身近なもので放射能汚染が比較的低レベルのものを対象物とする場合、極めて有用になる。
この場合、必要に応じ、上記除染液に対象物を所要時間浸漬し、その後、該対象物を水で洗浄する構成としている。除染液に対象物を浸漬する簡単な工程で除染できるので、作業が簡易であり、汎用性が向上させられる。
【０００８】
そして、必要に応じ、上記除染液は、上記除染剤を０．０００１〜０．３重量％含有する構成としている。酸化カルシウム及び／または水酸化カルシウムの溶解水は弱アルカリ性を示し、微量でも除染効果を発揮する。また、除菌性，消臭機能も有する。０．３重量％を超えると、除染効果は上がるが、濃度が高すぎて、野菜や果物などの食品には適さない。望ましくは、０．０５〜０．２重量％である。
【発明の効果】
【０００９】
本発明によれば、単に水洗する場合に比較して、除染効率を向上させることができる。また、除染剤は水に溶かして用いるので、作業が簡易であり、汎用性を向上させることができる。更にまた、酸化カルシウム及び／または水酸化カルシウムは、比較的安価で入手もし易く、この点でも汎用性を向上させることができる。
【図面の簡単な説明】
【００１０】
【図１】本発明の実施の形態に係る除染剤を示す図である。
【図２】本発明の実施の形態に係る除染方法を示す工程図である。
【図３】本発明に係る試験例に係り対象物の放射性核種の測定結果を示す表図である。
【図４】本発明に係る試験例に係り実施例１と比較例の対象物浸漬後の放射性核種の測定結果を示す表図である。
【発明を実施するための形態】
【００１１】
以下、添付図面に基づいて、本発明の実施の形態に係る除染剤及び除染方法について詳細に説明する。
図１に示すように、本発明の実施の形態に係る除染剤は、放射性物質に汚染された対象物の除染を行うための除染剤であり、水に溶解して用いられ酸化カルシウム及び／または水酸化カルシウムの粉末で構成される。
【００１２】
この酸化カルシウム及び／または水酸化カルシウムは、貝殻を焼成して生成される。貝殻の焼成温度は、８００℃以上である。望ましくは、１０００℃以上である。８００℃に満たないと活性に劣る。８００℃以上で満足できる活性を保持できる。水酸化カルシウムは、例えば、酸化カルシウムに加水することにより生成する。
【００１３】
次に、本発明の実施の形態に係る除染方法について説明する。除染に係る対象物としては、例えば、食品など持ち運び可能なもの、あるいは、住宅等の建物のように固定のもの等どのようなものであっても良い。
図２には、対象物としては、例えば、食品など持ち運び可能なものについての除染方法を示す。図２（ａ）に示すように、先ず、実施の形態に係る除染剤を水に溶解して除染液を得る。除染液は、除染剤を０．０００１〜０．３重量％含有する構成としている。酸化カルシウム及び／または水酸化カルシウムの溶解水は弱アルカリ性を示す。０．３重量％を超えると、除染効果は上がるが、濃度が高すぎて、野菜や果物などの食品には適さない。望ましくは、０．０５〜０．２重量％である。
【００１４】
次に、図２（ｂ）に示すように、放射性物質に汚染された対象物を所要時間浸漬する。例えば、５〜１０分浸漬する。その後、図２（ｃ）に示すように、対象物を取り出し、水で洗浄する。除染剤は微量でも除染効果を発揮する。また、除菌性，消臭機能も有する。これにより、単に水洗する場合に比較して、除染効率が向上させられる。また、除染液に対象物を浸漬する簡単な工程で除染できるので、作業が簡易であり、汎用性が向上させられる。特に、放射性セシウムの除染にはその能力が高く、極めて有用になる。その結果、特に、食品など身近なもので放射能汚染が比較的低レベルのものを対象物とする場合、極めて有用になる。
【００１５】
また、除染液を表面に作用させる方法としては、例えば、除染液を対象物に浴びせかけて洗浄する方法がある。この場合、対象物としては、上記の食品など持ち運び可能なものに対する除染は勿論のこと、例えば、建物のように固定のものの除染に有効になる。これによっても、除染液は酸化カルシウム及び／または水酸化カルシウムの粉末が溶解しているので、単に水洗する場合に比較して、除染効率が向上させられる。
【実施例】
【００１６】
次に実施例について説明する。
（実施例１）
除染剤は、貝殻を１０００℃で焼成して生成された酸化カルシウムである。この酸化カルシウム２０ｇを１０リットルの水に溶解して除染液を得た。この実施例に係る除染液について、比較例とともに除染試験を行った。比較例は、水１０リットルである。
除染試験は、福島県相馬郡飯舘村で採取した葉物植物を用いた。図３には、この葉物植物の放射性核種の測定結果を示す。測定はゲルマニウム半導体検出器により行った。そして、上記の実施例１に係る除染液及び比較例に係る水の各１０リットルに、葉物植物３５０ｇを６０分間浸漬し、その後、葉物植物を取り出し、この葉物植物を取り出した後の除染液（実施例１）及び水（比較例）の各々２リットルについて、放射性核種の測定を行った。結果を図４に示す。
【００１７】
この結果から、単なる水に比較して、酸化カルシウムを溶解した除染液は、放射性セシウムの量が多く、除染効率が高いことが分かった。放射性セシウムの除染に極めて有効であることが分かった。
【００１８】
（実施例２）
除染剤は、貝殻を１０００℃で焼成して生成された酸化カルシウムである。この酸化カルシウム１ｇを２リットルの水に溶解して除染液を得た。この除染液に、食品としての野菜、例えば、玉ねぎ、ごぼう、トマト、人参、ジャガイモ、ホウレンソウ、レタス、キャベツ等について、５〜１０分間浸漬した。その後、除染液から取り出して水洗した。
【００１９】
（実施例３）
実施例２と同様の除染液を用い、この除染液に、食品として、例えば、果実であるイチゴ、もやし、きのこ類について、１分間浸漬した。その後、除染液から取り出して水洗した。
【００２０】
（実施例４）
実施例２と同様の除染液を用い、この除染液で、精米を数分間浸漬した。その後、水で洗米した。除染液により液はやや黄色になるが、水が澄むまで、洗米した。
【００２１】
（実施例５）
除染剤は、貝殻を１０００℃で焼成して生成された酸化カルシウムである。この酸化カルシウム２ｇを２リットルの水に溶解して除染液を得た。この除染液に、調理器具を浸漬した。その後、除染液から取り出して水洗した。
【００２２】
尚、本発明の実施例において、対象物は食品や調理器具に限定されるものではなく、どのようなものであっても良い。例えば、対象物としては、建物のように固定のものであっても良いことは勿論である。
【産業上の利用可能性】
【００２３】
平成２３年（２０１１年）３月１１日の「東日本大震災」では福島第１原発の事故で大気中や海水に放射性物質が飛散し、この放射能汚染が問題となっており、特に、住宅等の建物や食品など身近なものの除染が重要な課題となっている。本発明の除染剤によれば、比較的安価で入手もし易く、この除染剤を水に溶かした除染液を用いて、この除染液に対象物を浸漬したり、除染液を対象物に浴びせかけて洗浄するなど簡単な作業で除染を行うことができるので、汎用性を向上させることができる。そのため、除染の必要のある対象物は勿論のこと、除染の必要のない食品などの対象物であっても、容易に用いて安心を得ることができ、一般家庭、病院、学校などにおいて極めて有用になる。
【図１】
2013088376.tif 000003
【図２】
2013088376.tif 000004
【図３】
2013088376.tif 000005
【図４】
2013088376.tif 000006